(57)【要約】【課題】支持する排水管継手の外径寸法が異なっても、的確に、支持できる支持金具を提供すること。【解決手段】排水管継手５の支持部位６の外周面６ａに当てて支持する支持部１２と、支持部を保持して配設部位１に固定する固定部３４と、を備える。支持部は、金属製の一対の支持枠部１４，１４を備える。一対の支持枠部は、対向するように配置させて、ねじ手段３０により相互に接近させて結合可能な締結片部２０と、枠本体部１６と、を備える。枠本体部は、排水管継手の支持部位６の略１／４円の円弧部６ｂに対して、それぞれ、接線として当接可能とし、かつ、相互に拡開するような勾配状に配設され、さらに、締結片部相互をねじ手段により接近させる際に、略１／４円の円弧部６ｂに押圧される二つの当接片部１７を有する。各支持枠部の一方の締結片部２０側には、固定部に保持される保持部２４が、配設されている。【選択図】図２
2017203480.tif 000002
【特許請求の範囲】
【請求項１】
排水管継手を配設部位の所定位置に配置させるように支持可能に、前記排水管継手の支持部位の外周面に当てて前記支持部位を支持する支持部と、該支持部を保持して前記配設部位に固定する固定部と、を備えて構成される支持金具であって、
前記支持部が、前記排水管継手の支持部位の外周面における前記排水管継手の軸心を中心とした略１８０°ずつのエリアを覆うように配設される金属製の一対の支持枠部を、備えて構成され、
一対の前記支持枠部が、それぞれ、
両端部に配設されて、一対の前記支持枠部における他側の対応する端部側に対して、ねじ手段により相互に接近させて結合可能な締結片部と、
両端の前記締結片部の間に配設されて、前記排水管継手の半割り外周面の略半分とした略１／４円の円弧部に対して、それぞれ、接線として当接可能とし、かつ、両端側の前記締結片部側に向かって相互に拡開するような勾配状に配設され、さらに、一対の前記支持枠部の対向する前記締結片部相互を前記ねじ手段により接近させる際に、前記排水管継手の半割り外周面の略半分とした略１／４円の円弧部に押圧される二つの当接片部、を有して連なる枠本体部と、
を備えて構成され、
前記一対の前記支持枠部のそれぞれの一方の前記締結片部側に、前記固定部に保持される保持部が、配設されていることを特徴とする支持金具。
【請求項２】
一対の前記支持枠部が、それぞれ、
両端の前記締結片部からそれぞれ前記当接片部を延設させるとともに、
前記枠本体部の中央部に、両側の前記当接片部の端部相互を直線的に連結する連結片部を配設させて構成されていることを特徴とする請求項１に記載の支持金具。
【請求項３】
前記固定部が、
前記配設部位に固着される固着部と、
該固着部から延びるように配置されて、ナットを締結させて前記保持部を取付固定するねじ棒部と、を備えて構成され、
前記保持部が、前記ねじ棒部を挿入可能な筒部を有して構成されるとともに、一対の前記支持枠部のそれぞれの一方側の前記締結片部の先端側に、配設されていることを特徴とする請求項１若しくは請求項２に記載の支持金具。
【請求項４】
前記保持部が、前記締結片部側の元部側から略円筒状に曲げられて形成されるとともに、曲げられた先端側と前記元部側との間に、隙間を設けて、形成されていることを特徴とする請求項３に記載の支持金具。
【請求項５】
前記ねじ手段がボルトとナットとを備えて構成されて、
前記締結片部が、前記ボルトを挿通させる挿通孔を備えて構成されていることを特徴とする請求項１乃至請求項４の何れか１項に記載の支持金具。
【請求項６】
前記支持枠部における両端の前記締結片部の内の一方が、前記ボルト若しくは前記ナットの回り止め用に、止め片を備えて構成されていることを特徴とする請求項５に記載の支持金具。
【請求項７】
前記支持枠部における両端の前記締結片部の内の一方が、前記ボルト若しくは前記ナットを固着させて構成されていることを特徴とする請求項５に記載の支持金具。
【請求項８】
一対の前記支持枠部が、それぞれ、前記枠本体部の曲げ剛性を高める補強用リブを備えて構成されていることを特徴とする請求項１乃至請求項７のいずれか１項に記載の支持金具。
【請求項９】
少なくとも前記当接片部の前記排水管継手との当接部位に、緩衝用のゴムが配設されていることを特徴とする請求項１乃至請求項８のいずれか１項に記載の支持金具。
【請求項１０】
一対の前記支持枠部が、相互に同じ形状として構成されていることを特徴とする請求項１乃至請求項９のいずれか１項に記載の支持金具。
【発明の詳細な説明】
【技術分野】
【０００１】
本発明は、排水管継手を配設部位（例えばコンクリートスラブ）の所定位置に配置させるように支持する支持金具に関する。
【背景技術】
【０００２】
従来、排水管継手を支持する支持金具としては、排水用継手の胴部の外周面を挟持して支持する円環状の支持部と、支持部を保持して配設部位としてのコンクリートスラブに固定する固定部と、を備えて構成されていた（例えば、特許文献１参照）。
【０００３】
支持部は、金属製（板金製）の一対の支持枠部から構成され、一対の支持枠部は、半割り円弧状の枠本体部と、枠本体部の両端に配設される締結片部と、を備えて構成されていた。締結片部には、ボルトとナットとからなるねじ手段のボルトを挿通させるための挿通孔が形成されていた。一対の支持枠部は、それぞれの枠本体部を排水管継手の胴部の外周面に当てて、両端の対向する締結片部相互にボルトを挿通させて、ボルトにナットを締結することにより、枠本体部相互を排水管継手の胴部の外周面に押し付け、一対の支持枠部からなる支持部により、排水管継手の胴部を挟持していた。
【０００４】
固定部は、一対の支持枠部の両端の締結片部側の２箇所に配設されて、下端に、コンクリートスラブにボルト止めする固着部を備え、上端に、締結させた締結片部相互にボルト止めして連結される連結部を備えていた。
【先行技術文献】
【特許文献】
【０００５】
【特許文献１】特開２００４−１５６２５６号公報
【発明の概要】
【発明が解決しようとする課題】
【０００６】
しかし、従来の支持金具では、一対の支持枠部の枠本体部が、湾曲した半割り円弧状としており、挟持する排水管継手の胴部の外径寸法が大きくなれば、枠本体部の締結片部付近が、部分的に胴部外周面に当たるだけで、円滑に胴部を挟持できなくなっていた。すなわち、従来の支持金具では、挟持する排水管継手の外径寸法が異なるものとなれば、対応できず、排水管継手を配設するコンクリートスラブ等の配設部位に対して、的確に、排水管継手を支持して配置できなかった。
【０００７】
本発明は、上述の課題を解決するものであり、支持する排水管継手の外径寸法が異なっても、的確に、支持できる支持金具を提供することを目的とする。
【課題を解決するための手段】
【０００８】
本発明に係る支持金具は、排水管継手を配設部位の所定位置に配置させるように支持可能に、前記排水管継手の支持部位の外周面に当てて前記支持部位を支持する支持部と、該支持部を保持して前記配設部位に固定する固定部と、を備えて構成される支持金具であって、
前記支持部が、前記排水管継手の支持部位の外周面における前記排水管継手の軸心を中心とした略１８０°ずつのエリアを覆うように配設される金属製の一対の支持枠部を、備えて構成され、
一対の前記支持枠部が、それぞれ、
両端部に配設されて、一対の前記支持枠部における他側の対応する端部側に対して、ねじ手段により相互に接近させて結合可能な締結片部と、
両端の前記締結片部の間に配設されて、前記排水管継手の半割り外周面の略半分とした略１／４円の円弧部に対して、それぞれ、接線として当接可能とし、かつ、両端側の前記締結片部側に向かって相互に拡開するような勾配状に配設され、さらに、一対の前記支持枠部の対向する前記締結片部相互を前記ねじ手段により接近させる際に、前記排水管継手の半割り外周面の略半分とした略１／４円の円弧部に押圧される二つの当接片部、を有して連なる枠本体部と、
を備えて構成され、
前記一対の前記支持枠部のそれぞれの一方の前記締結片部側に、前記固定部に保持される保持部が、配設されていることを特徴とする。
【０００９】
本発明に係る支持金具では、一対の支持枠部のそれぞれの当接片部を、排水管継手の支持部位の外周面における略１／４円の円弧部に対して当てて、対向する締結片部相互を、ねじ手段により、接近させつつ締結すれば、排水管継手の支持部位の外周面の４箇所を、各当接片部が押圧して挟持でき、一対の支持枠部を有した支持部が排水管継手を支持できる。このような作業の前に、予め、固定部における支持部の保持部に対する高さ位置や排水管継手の軸心の位置に応じて、調整しつつ、固定部を配設部位に固定しておく。そして、支持部により支持した排水管継手を配設部位の所定位置に配置させつつ、支持部の保持部を固定部に取付固定すれば、排水管継手を配設部位の所定位置に配置させることができる。
【００１０】
そして、本発明に係る支持金具の構成では、支持する排水管継手が外径寸法を大きくしたり、あるいは、小さくした場合でも、拡開した勾配状の二つの当接片部を支持部位に当てて、一対の支持枠部の両端の締結片部相互を、ねじ手段で、接近させるように締結できれば、排水管継手の支持部位の外周面の４箇所を、各当接片部が挟持して支持できることとなって、その結果、外径寸法を異ならせた排水管継手であっても、的確に対処して、配設部位の所定位置に配置させることができる。
【００１１】
そして、本発明に係る支持金具では、一対の前記支持枠部が、それぞれ、
両端の前記締結片部からそれぞれ前記当接片部を延設させるとともに、
前記枠本体部の中央部に、両側の前記当接片部の端部相互を直線的に連結する連結片部を配設させて構成されていることが望ましい。
【００１２】
このような構成では、一対の支持枠部からなる支持部が、六角筒形状となって、外径寸法を小さくでき、コンパクトに排水管継手を支持することができる。
【００１３】
また、本発明に係る支持金具では、前記固定部が、前記配設部位に固着される固着部と、該固着部から延びるように配置されて、ナットを締結させて前記保持部を取付固定するねじ棒部と、を備えて構成され、
前記保持部が、前記ねじ棒部を挿入可能な筒部を有して構成されるとともに、一対の前記支持枠部のそれぞれの一方側の前記締結片部の先端側に、配設されていることが望ましい。
【００１４】
このような構成では、固着部を配設部位に固着させた状態のねじ棒部に、保持部の筒部を嵌め、そして、ねじ棒部にナットを締結して、筒部をねじ棒部に取付固定することができる。すなわち、保持部の固定部への取付固定が、単に、筒部をねじ棒部に嵌めてナットを締結するだけで行なえて、簡便に行なえる。
【００１５】
さらに、本発明に係る支持金具では、前記保持部が、前記締結片部側の元部側から略円筒状に曲げられて形成されるとともに、曲げられた先端側と前記元部側との間に、隙間を設けて、形成されていることが望ましい。
【００１６】
このような構成では、ねじ棒部の外径寸法が異なっても、保持部の隙間を小さくしたり大きくするように塑性変形させて、保持部の筒部を対応する内径寸法としてねじ棒部に嵌めることができ、円滑に、保持部を固定部に取付固定することができる。
【００１７】
さらにまた、本発明に係る支持金具では、前記ねじ手段がボルトとナットとを備えて構成されて、前記締結片部が、前記ボルトを挿通させる挿通孔を備えて構成されていることが望ましい。
【００１８】
このような構成では、締結片部相互を接近させる際、挿通孔に貫通させたボルトとナットとを相互に締結するだけで、締結片部相互を接近させることができて、一対の支持枠部により排水管継手を挟持できることから、簡便に、排水管継手を支持部で支持できる。
【００１９】
この場合、前記支持枠部における両端の前記締結片部の内の一方には、前記ボルト若しくは前記ナットの回り止め用に、止め片を備えて構成されていれば、ナット締め、若しくは、ボルト締めの際に、他方のボルト若しくはナットが回転せずに、容易に、ボルトとナットとを相互に締結することができる。
【００２０】
あるいは、この場合、前記支持枠部における両端の前記締結片部の内の一方が、前記ボルト若しくは前記ナットを固着させて構成されていれば、単に、固着されているボルトやナットに対して、対応するナット若しくはボルトを締め付けるだけでよく、容易に、ボルトとナットとを相互に締結することができる。
【００２１】
また、本発明に係る支持金具では、一対の前記支持枠部が、それぞれ、前記枠本体部の曲げ剛性を高める補強用リブを備えて構成されていれば、一対の支持枠部の曲げ剛性が高くなって、ねじ手段の締結時、枠本体部の曲げ変形が抑制されて、排水管継手を強固に支持することができる。
【００２２】
さらに、本発明に係る支持金具では、少なくとも前記当接片部の前記排水管継手との当接部位に、緩衝用のゴムが配設されていれば、異音を発生させることなく、排水管継手を支持することができる。
【００２３】
さらにまた、本発明に係る支持金具では、一対の前記支持枠部が、相互に同じ形状として構成されていれば、ねじ手段を除く支持部の構成部品の種類を少なくできて、簡便に、支持金具を形成することができる。
【発明の効果】
【００２４】
本発明に係る支持金具は、支持する排水管継手の外径寸法が異なっても、的確に、支持することができる。
【図面の簡単な説明】
【００２５】
【図１】本発明に係る一実施形態の支持金具の使用状態を説明する概略正面図である。
【図２】実施形態の支持金具の使用状態を説明する概略平面図である。
【図３】実施形態の支持金具の支持部の平面図である。
【図４】実施形態の支持金具の支持部の正面図である。
【図５】支持する排水管継手の胴部の外径寸法が大きくなった場合の支持部の平面図である。
【図６】図５に示す状態の支持部の使用状態を説明する概略正面図である。
【図７】実施形態の支持金具における変形例の支持部の使用状態を説明する平面図である。
【図８】実施形態の支持金具における他の変形例の支持部を説明する平面図である。
【図９】図８に示す支持部の部分破断斜視図である。
【発明を実施するための形態】
【００２６】
以下、本発明の一実施形態を図面に基づいて説明すると、実施形態の支持金具１０は、図１，２に示すように、立て管８や横枝管９を接続させる排水管継手５を、配設部位としてのコンクリートスラブ１に対し、軸心Ｏの配置位置を考慮しつつ所定高さに配置させるように支持するものである。支持金具１０は、排水管継手５の支持部位としての胴部６の外周面６ａに当てて胴部６を支持する支持部１２と、支持部１２を保持してコンクリートスラブ１に固定する固定部３４と、を備えて構成されている。
【００２７】
なお、図例の排水管継手５は、胴部６等の外周側に、遮音効果を発揮するように、ウレタン等の被覆材７が配設されている。
【００２８】
支持金具１０の支持部１２は、図１〜４に示すように、排水管継手５の支持部位としての胴部６の外周面６ａにおける排水管継手５の軸心Ｏを中心とした略１８０°ずつのエリアを覆うように配設される金属製の一対の支持枠部１４，１４を、備えて構成されている。一対の支持枠部１４は、それぞれ、両端部に配置された締結片部２０，２０と、締結片部２０，２０間に配置された枠本体部１６と、を備えて構成されている。
【００２９】
締結片部２０は、一対の支持枠部１４における他側の対応する端部側に対して、ねじ手段３０により相互に接近させて結合可能に構成されている。実施形態の場合、ねじ手段３０は、ボルト３１とナット３２とから構成されており、締結片部２０は、ボルト３１のねじ部３１ｂを挿通可能な挿通孔２１を貫通させた略長方形板状として構成されている。
【００３０】
また、各支持枠部１４における一方の締結片部２０には、枠本体部１６から離れた端部に、固定部３４に保持される保持部２４が配設されている。実施形態の保持部２４は、固定部３４のねじ棒部３９を挿通させる筒部２５を備えて構成されている。さらに、この筒部２５は、締結片部２０側の元部２５ａ側から略円筒状に曲げられて形成されるとともに、曲げられた先端２５ｂ側と元部２５ａ側との間に、隙間ｈを設けて、形成されている。実施形態の場合には、筒部２５は、ねじ棒部３９の周囲を略７／８覆っており、隙間ｈは、ねじ棒部３９の周囲で約４５°の角度分、開口されている。
【００３１】
各支持枠部１４における保持部２４を配設させていない側の締結片部２０には、枠本体部１６から離れた端部に、締結片部２０から直交するように曲げられてなる止め片２２が形成されている。止め片２２は、ボルト３１の六角柱状の頭部３１ａの外周面における平面状の平面部３１ａａに当接可能として、ボルト３１の回り止めを行なう。
【００３２】
枠本体部１６は、二つの当接片部１７，１７を備えて構成されている。当接片部１７，１７は、排水管継手５の胴部６における半割り外周面の略半分とした略１／４円の円弧部６ｂに対して、それぞれ、接線として当接可能とし、かつ、両端側の締結片部２０側に向かって相互に拡開するような勾配状に配設されている。これらの当接片部１７，１７は、一対の支持枠部１４，１４の対向する締結片部２０，２０相互にねじ手段３０のボルト３１を挿通させ、挿通させたボルト３１にナット３２を螺合させて締め付けて、対向する締結片部２０，２０相互を接近させる際に、略１／４円の円弧部６ｂ，６ｂの一部に押圧可能に構成されている。
【００３３】
実施形態の場合、支持枠部１４の両端の締結片部２０，２０が、排水管継手５の軸心Ｏに沿った平面と平行となるように形成されており、それぞれの当接片部１７，１７は、近傍の各締結片部２０から６０°の屈曲角度θ１を設けて屈曲され、そして、直線状に延設されるとともに、相互に同じ長さとしている。
【００３４】
さらに、実施形態の場合、両側の当接片部１７，１７の間には、すなわち、枠本体部１６の中央部１６ａには、両側の当接片部１７における締結片部２０から離れた端部１７ａ相互を直線的に連結する連結片部１８が、配設されている。連結片部１８は、支持枠部１４の両端の締結片部２０と平行に形成されるとともに、両側の当接片部１７，１７と同じ長さとしている。そのため、実施形態の場合、連結片部１８は、両側の当接片部１７との交差角度θ２を１２０°として配設されて、この一対の支持枠部１４，１４では、両端の締結片部２０，２０相互を対向させつつ重ね合わせれば、枠本体部１６，１６が上方から見て正六角筒形状に形成されることとなる。
【００３５】
また、一対の支持枠部１４，１４には、軸心Ｏから離れるように突出する断面Ｕ字状の補強用リブ２７が、軸心Ｏに沿った断面の中央付近で、枠本体部１６の全域と締結片部２０の枠本体部１６の近傍部位とにわたって連なるように、形成されている（図３，４，９参照）。この補強用リブ２７により、支持枠部１４の枠本体部１６は、当接片部１７自体や連結片部１８自体の曲げ変形や、当接片部１７と締結片部２０との折曲連結部１４ａや当接片部１７と連結片部１８との折曲連結部１４ｂの曲げ変形が防止されて、曲げ剛性を高めることができる。
【００３６】
固定部３４は、配設部位としてのコンクリートスラブ１に固着される固着部３５と、固着部３５から延びるように配置されて、ナット４０（４０Ｕ，４０Ｄ）を締結させて保持部２４を取付固定するねじ棒部３９と、を備えて構成されている。固着部３５は、コンクリートスラブ１に埋設されたアンカー４に螺着されるボルト３８を挿通可能な挿通孔３６ａを有した固定板３６を備えて構成され、固定板３６の挿通孔３６ａから離れた端部側に、ねじ棒部３９の下端３９ｂが螺着されて結合されている。固定板３６のコンクリートスラブ１と接触する下面側には、緩衝用のゴム（防振ゴム）が配設されている。そして、支持枠部１４の保持部２４を構成する筒部２５は、ねじ棒部３９の上端３９ａ側に螺合して締結された２個のナット４０Ｕ，４０Ｄ間に挟持されて、ねじ棒部３９に取付固定されることとなる。
【００３７】
実施形態の支持金具１０の使用時には、配設部位としてのコンクリートスラブ１の挿通孔２にモルタル等の充填材３を充填する前に、予め、コンクリートスラブ１に埋設したアンカー４，４に対して、支持金具１０の固定部３４，３４における各挿通孔３６ａを経てボルト３８，３８を締結して、ねじ棒部３９を結合済みの固定板３６，３６を、挿通孔２の周囲のコンクリートスラブ１に固定しておく。また、固定部３４のねじ棒部３９における上端３９ａ側のナット４０Ｕ，４０Ｄは、下側のナット４０Ｄの配置位置を、支持金具１０の保持部２４の取付固定位置に対応させるように、ナット４０Ｄを回して調整しておき、上側のナット４０Ｕは、ねじ棒部３９から外しておく。
【００３８】
支持金具１０の支持部１２側では、一対の支持枠部１４，１４のそれぞれの当接片部１７，１７を、排水管継手５の支持部位としての胴部６の外周面６ａにおける略１／４円の円弧部６ｂに対して当てて、ねじ手段３０のボルト３１を、対向する締結片部２０，２０相互の挿通孔２１に挿通させ、さらに、挿通させたボルト３１にナット３２を螺着させて、対向する締結片部２０，２０相互を接近させつつ締結すれば、排水管継手５の胴部６の外周面６ａの４箇所（円弧部６ｂの一部）を、各当接片部１７が押圧して挟持でき、一対の支持枠部１４を有した支持部１２が排水管継手５を支持できる。
【００３９】
その後、支持部１２の保持部２４，２４における各筒部２５に、固定部３４のねじ棒部３９，３９の上端３９ａ側を挿入させるように、排水管継手５をコンクリートスラブ１の上方から挿通孔２に挿通させ、各筒部２５をねじ棒部３９のナット４０Ｄに当てる。ついで、ナット４０Ｄをねじ棒部３９に対して回して、排水管継手５の位置を確認しつつ、所定位置に配置されたならば、ねじ棒部３９にナット４０Ｕを螺着させて、ナット４０Ｕ，４０Ｄ間で筒部２５，２５を挟持し、支持枠部１４，１４の保持部２４，２４を固定部３４のねじ棒部３９，３９に取付固定すれば、支持金具１０が、所定位置で、排水管継手５を支持して、配設部位としてのコンクリートスラブ１に固定できる。
【００４０】
ついで、挿通孔２内にモルタル等の充填材３を充填すれば、コンクリートスラブ１に排水管継手５を敷設することができる。その後、所定の立て管８や横枝管９を排水管継手５に接続させれば、排水システムを構築できる。
【００４１】
また、実施形態の支持金具１０の構成では、支持する排水管継手が外径寸法を大きくしたり、あるいは、小さくした場合でも、両端の締結片部２０，２０側に相互に拡開する勾配状（勾配形状・交差形状）の二つの当接片部１７，１７を支持部位に当てて、一対の支持枠部１４の両端の締結片部２０，２０相互を、ねじ手段３０で、接近させるように締結できれば、排水管継手５の支持部位（胴部）６の外周面６ａの４箇所の円弧部６ｂを、各当接片部１７，１７が挟持して支持できることとなって、その結果、外径寸法を異ならせた排水管継手であっても、的確に対処して、配設部位の所定位置に配置させることができる。
【００４２】
例えば、図５，６に示すように、排水管継手５より胴部６の外径寸法が大きな排水管継手５Ａをコンクリートスラブ１に配設する場合を説明する。なお、この排水管継手５Ａを配設するコンクリートスラブ１には、挿通孔２に接近してアンカー４，４が埋設されており、使用する支持金具１０としては、既述の同じ支持部１２を使用するが、固定部３４Ａとしては、ねじ棒部３９，３９の下端３９ｂ自体を固着部３５Ａとして、予め、アンカー４に螺着させて結合させることとなる。
【００４３】
この場合の支持金具１０の使用時には、予め、ねじ棒部３９，３９の下端３９ｂ自体の固着部３５Ａを、アンカー４に螺着させて結合させ、また、各ねじ棒部３９の上端３９ａ側に、支持部１２の各保持部２４を所定の高さ位置に配設できるように、ナット４０Ｄを所定位置に配置させておく。
【００４４】
また、支持金具１０の支持部１２側では、一対の支持枠部１４，１４のそれぞれの当接片部１７，１７を、排水管継手５Ａの支持部位としての胴部６の外周面６ａにおける略１／４円の円弧部６ｂに対して当てて、ねじ手段３０のボルト３１を、対向する締結片部２０，２０相互の挿通孔２１に挿通させ、さらに、挿通させたボルト３１にナット３２を螺着させて、対向する締結片部２０，２０相互を接近させつつ締結すれば、排水管継手５Ａの胴部６の外周面６ａの４箇所を、各当接片部１７が押圧して挟持でき、一対の支持枠部１４を有した支持部１２が排水管継手５Ａを支持できる。
【００４５】
その後、支持部１２の保持部２４，２４における各筒部２５に、固定部３４Ａのねじ棒部３９，３９の上端３９ａ側を挿入させるように、排水管継手５Ａをコンクリートスラブ１の上方から挿通孔２に挿通させ、各筒部２５をねじ棒部３９のナット４０Ｄに当て、ついで、ナット４０Ｄをねじ棒部３９に対して回して、排水管継手５Ａの位置を確認しつつ、所定位置に配置されたならば、ねじ棒部３９にナット４０Ｕを螺着させて、ナット４０Ｕ，４０Ｄ間で筒部２５，２５を挟持し、支持枠部１４，１４の保持部２４，２４を固定部３４Ａのねじ棒部３９，３９に取付固定すれば、支持金具１０が、所定位置で、排水管継手５Ａを支持して、配設部位としてのコンクリートスラブ１に固定できる。
【００４６】
ついで、挿通孔２内にモルタル等の充填材３を充填すれば、コンクリートスラブ１に排水管継手５Ａを敷設することができる。その後、所定の立て管８や横枝管９を排水管継手５Ａに接続させれば、排水システムを構築できる。
【００４７】
したがって、実施形態の支持金具１０では、支持する排水管継手５，５Ａの支持部位としての胴部６の外径寸法が異なっても、的確に、支持して、配設部位としてのコンクリートスラブ１に配設できる。
【００４８】
そして、実施形態の支持金具１０では、一対の支持枠部１４が、それぞれ、両端の締結片部２０，２０からそれぞれ当接片部１７，１７を延設させるとともに、枠本体部１６の中央部１６ａに、両側の当接片部１７，１７の端部１７ａ相互を直線的に連結する連結片部１８を配設させて構成されている。
【００４９】
このような構成では、一対の支持枠部１４からなる支持部１２が、六角筒形状となって、外径寸法を小さくでき、コンパクトに排水管継手５，５Ａを支持することができる。
【００５０】
ちなみに、上記の点を考慮しなければ、図７のＡ，Ｂに示す支持金具１０Ｂのように、支持部１２Ｂの一対の支持枠部１４Ｂが、枠本体部１６Ｂの両側に配置される締結片部２０，２０と、二つの当接片部１７Ｂ，１７Ｂだけを有した枠本体部１６Ｂと、から構成されていてもよい。なお、当接片部１７Ｂ，１７Ｂ相互は、交差角度θ３を略９０°としている。
【００５１】
この支持金具１０Ｂでも、支持する排水管継手５，５Ａが外径寸法を異ならせていても、両端部の締結片部２０，２０側に相互に拡開した勾配状の二つの当接片部１７Ｂ，１７Ｂを支持部位としての胴部６の外周面６ａにおける円弧部６ｂに当てて、一対の支持枠部１４Ｂの両端の締結片部２０，２０相互を、ねじ手段３０で、接近させるように締結できれば、排水管継手５，５Ａの支持部位（胴部）６の外周面６ａの４箇所の円弧部６ｂを、各当接片部１７Ｂ，１７Ｂが挟持して支持できることとなって、その結果、外径寸法を異ならせた排水管継手５，５Ａであっても、的確に対処して、配設部位の所定位置に配置させることができる。
【００５２】
但し、この支持金具１０Ｂでは、枠本体部１６Ｂの中央部１６ａが当接片部１７Ｂ，１７Ｂの交差する角部１９となって出っ張ることとなり、正六角筒状の支持金具１０の枠本体部１６に比べて、コンパクトに配設する場合には、好適ではない。
【００５３】
また、実施形態の支持金具１０では、固定部３４，３４Ａが、配設部位としてのコンクリートスラブ１に固着される固着部３５，３５Ａと、固着部３５，３５Ａから延びるように配置されて、ナット４０Ｕ，４０Ｄを締結させて保持部２４を取付固定するねじ棒部３９，３９と、を備えて構成されている。そして、保持部２４が、ねじ棒部３９を挿入可能な筒部２５を有して構成されるとともに、一対の支持枠部１４，１４のそれぞれの一方側の締結片部２０の先端側に、配設されている。
【００５４】
このような構成では、固着部３５，３５Ａをコンクリートスラブ１に固着させた状態のねじ棒部３９，３９に、保持部２４の筒部２５を嵌め、そして、ねじ棒部３９，３９にナット４０Ｕを締結して、筒部２５をねじ棒部３９，３９に取付固定することができる。すなわち、保持部２４の固定部３４，３４Ａへの取付固定が、単に、筒部２５をねじ棒部３９に嵌めてナット４０Ｕを締結するだけで行なえて、簡便に行なえる。
【００５５】
さらに、実施形態の支持金具１０では、保持部２４が、締結片部２０側の元部２５ａ側から略円筒状に曲げられて形成されるとともに、曲げられた先端２５ｂ側と元部２５ａ側との間に、隙間ｈを設けて、形成されている。
【００５６】
このような構成では、ねじ棒部３９の外径寸法が異なっても、保持部２４の隙間ｈを小さくしたり大きくするように塑性変形させて、保持部２４の筒部２５を対応する内径寸法としてねじ棒部３９に嵌めることができ、円滑に、保持部２４を固定部３４，３４Ａに取付固定することができる。
【００５７】
なお、実施形態では、隙間ｈを、ねじ棒部３９の周囲で、約４５°の角度分の開口として、例示したが、この隙間ｈは、固定部３４，３４Ａに使用されるねじ棒部３９の外径寸法に対応させて、例えば、筒部２５の内径を縮径させる頻度が多ければ、広くし、筒部２５の内径を拡径させる頻度が多ければ、小さくすることが望ましく、そのため、隙間ｈは、ねじ棒部３９の周囲で、１５°〜７５°程度の角度範囲内で、適宜、開口させたものであればよい。
【００５８】
さらにまた、実施形態の支持金具１０では、ねじ手段３０がボルト３１とナット３２とを備えて構成されて、締結片部２０が、ボルト３１を挿通させる挿通孔２１を備えて構成されている。
【００５９】
そのため、実施形態では、締結片部２０，２０相互を接近させる際、挿通孔２１に貫通させたボルト３１とナット３２とを相互に締結するだけで、締結片部２０，２０相互を接近させることができて、一対の支持枠部１４により排水管継手５，５Ａを挟持できることから、簡便に、排水管継手５，５Ａを支持部１２で支持できる。
【００６０】
この場合、実施形態のように、支持枠部１４における両端の締結片部２０，２０の内の一方（実施形態では、保持部２４を備えていない側の締結片部）には、ボルト３１の六角柱状の頭部３１ａの外周面における平面状の平面部３１ａａを当接させて、ボルト３１の回転を規制する止め片２２が形成されている。
【００６１】
そのため、実施形態では、ナット３２締めの際に、他方のボルト３１が回転せずに、容易に、ボルト３１にナット３２を締結することができる。
【００６２】
なお、このような止め片２２は、ナット３２側の回り止めを図るように、利用してもよい。
【００６３】
あるいは、ボルトやナットの回り止めを図る構成としては、支持枠部１４における両端の締結片部２０，２０の内の一方が、ボルト３１若しくはナット３２を固着させて構成してもよい。この場合でも、単に、固着されているボルト３１やナット３２に対して、対応するナット３２若しくはボルト３１を締め付けるだけでよく、容易に、ボルト３１とナット３２とを相互に締結することができる。
【００６４】
また、実施形態の支持金具１０では、一対の支持枠部１４，１４が、それぞれ、枠本体部１６の曲げ剛性を高める補強用リブ２７を備えて構成されている。そのため、当接片部１７や連結片部１８自体の曲げ変形や、当接片部１７と締結片部２０との折曲連結部１４ａや当接片部１７と連結片部１８との折曲連結部１４ｂの曲げ変形が防止されて、枠本体部１６の曲げ剛性が高く、ねじ手段３０の締結時、排水管継手５，５Ａを強固に支持することができる。
【００６５】
また、図８，９に示す支持金具１０Ｃのように、少なくとも当接片部１７，１７の排水管継手５，５Ａとの当接部位に、緩衝用ゴム２８を配設させてもよい。このような構成では、支持金具１０Ｃが、異音を発生させることなく、排水管継手５を支持することができる。
【００６６】
さらにまた、実施形態の支持金具１０では、一対の支持枠部１４，１４が、相互に同じ形状として構成されている。そのため、実施形態では、ねじ手段３０を除く支持部１２の構成部品の種類を１種類として、少なくできて、簡便に、支持金具１０を形成することができる。
【００６７】
なお、実施形態では、支持する排水管継手５，５Ａとして、配設部位としてのコンクリートスラブ１の所定位置に配設させるように、排水管継手５，５Ａを、コンクリートスラブ１の上面側で支持する支持金具を例示したが、上下を反転させて、コンクリートスラブ１の下面側で排水管継手５，５Ａを支持するように、使用しても良い。
【符号の説明】
【００６８】
１…（配設部位）コンクリートスラブ、５，５Ａ…排水管継手、６…（支持部位）胴部、６ａ…外周面、
１０，１０Ｂ，１０Ｃ…支持金具、１２，１２Ｂ…支持部、１４，１４Ｂ…支持枠部、１６，１６Ｂ…枠本体部、１６ａ…中央部、１７，１７Ｂ…当接片部、１７ａ…端部、１８…連結片部、２０…締結片部、２１…挿通孔、２２…止め片、２４…保持部、２５…筒部、２５ａ…元部、２５ｂ…先端、２７…補強用リブ、２８…緩衝用ゴム、３０…ねじ手段、３１…ボルト、３２…ナット、３４，３４Ａ…固定部、３５，３５Ａ…固着部、３９…ねじ棒部、４０（４０Ｕ，４０Ｄ）…ナット、
Ｏ…軸心、ｈ…隙間。
【図１】
2017203480.tif 000003
【図２】
2017203480.tif 000004
【図３】
2017203480.tif 000005
【図４】
2017203480.tif 000006
【図５】
2017203480.tif 000007
【図６】
2017203480.tif 000008
【図７】
2017203480.tif 000009
【図８】
2017203480.tif 000010
【図９】
2017203480.tif 000011